【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
属性名と前記属性名に対応する属性値とが属性として設定されている複数の文書を管理する文書管理システムであって、
前記複数の文書の中から選択された文書に対して設定されている前記属性名と前記属性値とを、属性表示画面に表示する属性表示手段と、
前記属性表示手段により前記属性表示画面に表示された前記属性値の中から、ユーザの指示に基づいて、少なくとも一つの属性値を選択する選択手段と、
検索画面を表示させるための指示が為された場合に、前記検索画面を表示する検索画面表示手段と、
前記検索画面において、属性検索の検索条件式を設定する設定手段と、
を有し、
前記検索画面表示手段は、前記選択手段により前記属性表示画面において前記少なくとも１つの属性値が選択された状態で、前記検索画面を表示させるための指示が為された場合、前記選択手段により選択されている前記少なくとも１つの属性値を前記検索条件式に設定した状態で、前記検索画面を表示することを特徴とする文書管理システム。
【請求項２】
前記選択手段により前記少なくとも１つの属性値が選択された状態で、前記検索画面において前記検索条件式の属性名が指定された場合に、前記指定された属性名は前記選択手段により選択された属性値に対応する属性名であるかを判断する判断手段を更に備え、
前記設定手段は、前記判断手段により、前記指定された属性名は前記選択手段により選択された属性値に対応する属性名であると判断された場合に、前記指定された属性名及び前記選択された属性値が指定された検索条件式を設定することを特徴とする請求項１に記載の文書管理システム。
【請求項３】
前記選択手段により複数の属性値が選択されており、かつ前記選択されている属性値の数が前記検索画面において表示されている検索条件式の数よりも多い場合に、前記検索画面に検索条件式を設定するための行を追加する追加手段をさらに有することを特徴とする請求項１に記載の文書管理システム。
【請求項４】
前記検索条件式は、属性名及び属性値に加えて一致条件を指定可能であり、
前記検索画面表示手段は、
前記選択手段により前記属性値の文字列が部分選択されている場合、前記選択手段により選択された属性値及び該属性値に対応する属性名及び一致条件として部分一致の指定された検索条件式の設定された検索画面を表示し、
前記選択手段により前記属性値の文字列が全選択されている場合、前記選択手段により選択された属性値及び該属性値に対応する属性名及び一致条件として完全一致の指定された検索条件式の設定された検索画面を表示することを特徴とする請求項１に記載の文書管理システム。
【請求項５】
前記検索画面において、検索方法として前記属性検索に加えて全文検索が選択可能であり、前記検索画面表示手段は、前記選択手段により前記属性値が選択された状態で、前記検索画面の表示が指示された場合に、前記検索方法として前記属性検索が選択された検索画面を表示することを特徴とする請求項１に記載の文書管理システム。
【請求項６】
前記検索画面において、複数の検索条件式を繋ぐ論理演算子としてＡＮＤ演算子またはＯＲ演算子を選択可能であり、
前記検索画面表示手段は、
前記検索画面において前記選択手段により選択された属性値に対応する属性名の指定されている検索条件式がすでに設定されており、かつ前記ＡＮＤ演算子が選択されている場合に、前記検索条件式において指定されている属性値を前記選択された属性値で上書きされた検索画面を表示し、
前記検索画面において前記選択手段により選択された属性値に対応する属性名の指定されている検索条件式が設定されており、かつ前記ＯＲ演算子が選択されている場合に、前記検索条件式とは別に前記選択手段により選択された属性値及び該属性値に対応する属性名が指定された検索条件式の設定された検索画面を表示することを特徴とする請求項１に記載の文書管理システム。
【請求項７】
属性名と前記属性名に対応する属性値とが属性として設定されている複数の文書を管理する文書管理システムにおける検索指定方法であって、
前記複数の文書の中から選択された文書に対して設定されている前記属性名と前記属性値とを、属性表示画面に表示する属性表示ステップと、
前記属性表示ステップで前記属性表示画面に表示された前記属性値の中から、ユーザの指示に基づいて、少なくとも一つの属性値を選択する選択ステップと、
検索画面を表示させるための指示が為された場合に、前記検索画面を表示する検索画面表示ステップと、
前記検索画面において、属性検索の検索条件式を設定する設定ステップと、を有し、
前記検索画面表示ステップでは、前記選択ステップで前記属性表示画面において前記少なくとも１つの属性値が選択された状態で、前記検索画面を表示させるための指示が為された場合、前記選択ステップにおいて選択されている前記少なくとも１つの属性値を前記検索条件式に設定した状態で、前記検索画面を表示することを特徴とする検索指定方法。
【請求項８】
属性名と前記属性名に対応する属性値とが属性として設定されている複数の文書を管理する文書管理システムにおけるコンピュータを、
前記複数の文書の中から選択された文書に対して設定されている前記属性名と前記属性値とを、属性表示画面に表示する属性表示手段、
前記属性表示手段により前記属性表示画面に表示された前記属性値の中から、ユーザの指示に基づいて、少なくとも一つの属性値を選択する選択手段、
検索画面を表示させるための指示が為された場合に、前記検索画面を表示する検索画面表示手段、
前記検索画面において、属性検索の検索条件式を設定する設定手段、
として機能させるためのプログラムであって、
更に、前記検索画面表示手段が、前記選択手段により前記属性表示画面において前記少なくとも１つの属性値が選択された状態で、前記検索画面を表示させるための指示が為された場合、前記選択手段により選択されている前記少なくとも１つの属性値を前記検索条件式に設定した状態で、前記検索画面を表示するように、該コンピュータを機能させるためのプログラム。
【手続補正２】
【補正対象書類名】明細書
【補正対象項目名】００１０
【補正方法】変更
【補正の内容】
【００１０】
上記課題を解決するために、本発明の文書管理システムは、属性名と前記属性名に対応する属性値とが属性として設定されている複数の文書を管理する文書管理システムであって、前記複数の文書の中から選択された文書に対して設定されている前記属性名と前記属性値とを、属性表示画面に表示する属性表示手段と、前記属性表示手段により前記属性表示画面に表示された前記属性値の中から、ユーザの指示に基づいて、少なくとも一つの属性値を選択する選択手段と、検索画面を表示させるための指示が為された場合に、前記検索画面を表示する検索画面表示手段と、前記検索画面において、属性検索の検索条件式を設定する設定手段と、を有し、前記検索画面表示手段は、前記選択手段により前記属性表示画面において前記少なくとも１つの属性値が選択された状態で、前記検索画面を表示させるための指示が為された場合、前記選択手段により選択されている前記少なくとも１つの属性値を前記検索条件式に設定した状態で、前記検索画面を表示することを特徴とする。
【手続補正３】
【補正対象書類名】明細書
【補正対象項目名】００２５
【補正方法】変更
【補正の内容】
【００２５】
４０４は、ファイルリストペイン４０２で選択されている文書の属性を表示するプロパティーペイン（属性表示画面）である。属性は、項目（ｅｘ  名前、日付、サイズ・・）と、各項目に対する値（ｅｘ  ５月１０日、５００バイト）から成る設定値である。４０５は「作成者」という項目に対して、「Ｍｏｍｏｔａｒｏ  Ｍｉｙａｍｏｔｏ」という値が設定されている例を示している。また、４０６は「コメント」という項目に対して、「重要！」という値が設定されている例を示している。設定可能な項目は、ライブラリー毎に定義されており、ライブラリーの機能によって可変である。例えば、前述したローカルライブラリーであれば、オペレーティングシステムのファイルシステムで設定可能な属性と同じ項目が設定可能である。また、前述した共有ライブラリーであれば、文書管理サーバー１０１側の設定で任意にカスタマイズされた属性と同じ項目が設定可能となる。前述したライブラリー管理部３０３は、ライブラリーの能力として属性の項目を管理し、ライブラリーに応じて属性の項目、値の情報を取得し、ＵＩ部３０２に渡す役割を担っている。